(57)【特許請求の範囲】
【請求項１】
電線が軸方向に移動しないように固定する保持具であって、
内周面の径が第１径から前記第１径よりも小さい第２径に縮径する縮径部と、内側に電線防護管の先端部が挿入された状態において、前記電線防護管の前記先端部に形成された鍔部と係合する爪部と、を有する筒状部材と、
前記筒状部材の内側に挿入された状態において前記縮径部の内周面に沿って対向する外周面を有するとともに、前記電線を挿通するべく前記電線の軸方向に沿って孔を有するくさび部材と、
を備えることを特徴とする保持具。
【請求項２】
前記筒状部材は、内側に前記電線を装着するべく長手方向に沿ってスリットを有する
ことを特徴とする請求項１に記載の保持具。
【請求項３】
前記くさび部材は、前記孔に前記電線を装着するべく長手方向に沿ってスリットを有する
ことを特徴とする請求項１又は２に記載の保持具。
【請求項４】
前記くさび部材は、前記外周面を側面とする円錐形状を呈している
ことを特徴とする請求項１−３のいずれかに記載の保持具。
【請求項５】
前記爪部は、前記電線防護管の前記鍔部との係合を解除する機構を有する
ことを特徴とする請求項１に記載の保持具。
【請求項６】
前記筒状部材は、前記縮径部から前記電線の軸方向に沿って延在する延長部を更に有する
ことを特徴とする請求項１−５のいずれかに記載の保持具。
【発明の詳細な説明】
【技術分野】
【０００１】
本発明は、電線に装着される防護管等を所定の位置に固定する保持具に関する。
【背景技術】
【０００２】
架空電線付近で作業が行われる場合、作業用設備の接触によって電線が損傷したり、作業者が電線に接触して感電したりすることを防止するため、電線に防護管が装着される。かかる防護管が電線に対して移動するのを防止するべく、防護管の端部を係止するとともに電線を挟持する防護管係止具が知られている（特許文献１を参照）。
【先行技術文献】
【特許文献】
【０００３】
【特許文献１】特開２０００−２１７２３４号公報
【発明の概要】
【発明が解決しようとする課題】
【０００４】
このような係止具は、防護管の移動を防止するべく、電線を挟持具で挟み込んだうえで挟持具を締め付けている。つまり、締付け力を用いて防護管の移動防止を図っている。しかし、締付け力が不足すると、係止具が電線に対して移動する。また、緩み等に伴う締付け力の減少によって、係止具が移動することがある。このようにして係止具が移動すると、防護管が移動し、その結果、防護されるべき箇所が露出されたり、建築作業の安全性の低下や樹木接触箇所が発生したりするなど、不適切な状態が生ずる。また、防護管の落下の原因に繋がりかねない。
【０００５】
そこで、本発明は、電線が軸方向に移動しないように所定の箇所に確実に固定することを目的とする。
【課題を解決するための手段】
【０００６】
前述した課題を解決する主たる本発明は、電線が軸方向に移動しないように固定する保持具であって、内周面の径が第１径から前記第１径よりも小さい第２径に縮径する縮径部と、内側に電線防護管の先端部が挿入された状態において、前記電線防護管の前記先端部に形成された鍔部と係合する爪部と、を有する筒状部材と、前記筒状部材の内側に挿入された状態において前記縮径部の内周面に沿って対向する外周面を有するとともに、前記電線を挿通するべく前記電線の軸方向に沿って孔を有するくさび部材と、を備える。
【０００７】
本発明の他の特徴については、添付図面及び本明細書の記載により明らかとなる。
【発明の効果】
【０００８】
本発明によれば、電線が軸方向に移動しないように所定の箇所に確実に固定することができる。
【図面の簡単な説明】
【０００９】
【図１】本発明の実施形態における保持具を概略的に示す斜視図である。
【図２】図１に示される保持具の断面図である。
【図３Ａ】本発明の実施形態において保持具の爪部が防護管の先端の鍔部に係合した状態の一例を示す部分拡大断面図である。
【図３Ｂ】図３Ａに示される爪部が防護管の鍔部との係合を解除された状態の一例を示す部分拡大断面図である。
【発明を実施するための形態】
【００１０】
本明細書および添付図面の記載により、少なくとも以下の事項が明らかとなる。
【００１１】
本発明に係る保持具が適用される典型例として、保持具が電線防護管あるいは電線の移動を規制するために使用される場面を説明する。もっとも、本発明に係る保持具は、防護管以外の物が電線の軸方向に移動しないように固定するべく使用されてもよい。
【００１２】
図１−図３を参照して、本実施形態に係る保持具を説明する。図１は、保持具を概略的に示す斜視図である。図２は、図１に示される保持具の断面図である。図３Ａは、保持具の爪部が防護管の先端の鍔部に係合した状態の一例を示す部分拡大断面図である。図３Ｂは、図３Ａに示される爪部が防護管の鍔部との係合を解除された状態の一例を示す部分拡大断面図である。なお、本実施形態の説明では、図１−図３に示すように、電線の軸方向をＹ軸方向とし、鉛直方向をＺ軸方向とし、Ｙ軸とＺ軸とに直交する方向をＸ軸方向とする。
【００１３】
＜＜保持具の構成＞＞  
保持具１００は、図１に示されるように、筒状部材１１０と、くさび部材１２０と、を備えている。
【００１４】
＜筒状部材＞  
筒状部材１１０は、電線５００に着脱自在に装着される部材であって、円筒形状を呈している。筒状部材１１０は、縮径部１１１と、第１及び第２延長部１１２，１１３と、を有する。本実施形態において、縮径部１１１と、第１及び第２延長部１１２，１１３とは、一体的に形成されている。なお、筒状部材１１０は、後述する電線５００の挿入作業を容易にするように、例えば樹脂部材である。また、筒状部材１１０が樹脂部材であることは、接触による感電から作業者を保護することにも繋がる。
【００１５】
縮径部１１１において、内周面１１１ａの径は、第１径Ｄ１から、第１径Ｄ１よりも小さい第２径Ｄ２に縮径している。また、第１径Ｄ１は防護管６００の外径より大きく、第２径Ｄ２は電線５００の外径より大きい。本実施形態において、縮径部１１１の内周面１１１ａは、第１径Ｄ１から第２径Ｄ２に亘って一様に縮径している。もっとも、縮径部１１１における縮径の度合いは場所によって異なっていてもかまわない。なお、縮径部１１１の長手方向（Ｙ軸方向）における両端は開口している。
【００１６】
第１及び第２延長部１１２、１１３は、縮径部１１１から電線５００の軸方向あるいは筒状部材１１０の長手方向（Ｙ軸方向）に沿って延在する。具体的には、第１延長部１１２は、縮径部１１１において第１径Ｄ１の内径を有する側からＹ軸方向に沿って延長される。第１延長部１１２は、筒状の部材であって、第１径Ｄ１を有する内周面を備え、Ｙ軸方向の両端において開口している。後述するように、防護管６００の先端部及びくさび部材１２０は、第１延長部１１２における縮径部１１１とは反対側の端部に設けられた開口から挿入されることとなる。また、第２延長部１１３は、縮径部１１１において第２径Ｄ２の内径を有する側からＹ軸方向に沿って延長される。第２延長部１１３もまた、筒状の部材であって、第２径Ｄ２を有する内周面を備え、Ｙ軸方向の両端において開口している。なお、縮径部１１１、第１及び第２延長部１１２、１１３の外周面の径は同一である。
【００１７】
筒状部材１１０は、内側に電線５００を装着するべく、長手方向（Ｙ軸方向）に沿ってスリット１１４を有する。作業者は、スリット１１４によって形成されている隙間を広げ、このように広げられた隙間から筒状部材１００の内側に電線を挿入する。
【００１８】
筒状部材１１０は、爪部１１５を更に有する。爪部１１５は、図２に示されるように、筒状部材１１０の内周面から内側に向かって突出する部材であって、本実施形態では、縮径部１１１と第１延長部との境界付近に設けられている。爪部１１５は、筒状部材１１０の内側に防護管６００の先端部が挿入された状態において、防護管６００のＹ軸方向への移動を規制するべく、防護管６００の先端部に形成された鍔部６１０と係合する。
【００１９】
爪部１１５は、防護管６００の鍔部６１０との係合を解除する機構を有していてもよい。爪部１１５は、例えば図３Ａに示されるように、四角柱形状を呈しており、一方の端部１１５ＡがＹ軸の負側に、他方の端部１１５ＢがＹ軸の正側に位置するように配置されている。爪部１１５は、端部１１５Ａ，１１５Ｂの間の所定の位置において、Ｘ軸方向に沿う軸を持つ軸部材１１６によって回動自在に支持されるとともに、バネ１１７によって、端部１１５Ａが筒状部材１１０から遠ざかるように付勢されている。したがって、図３Ａに示されるように、爪部１１５の端部１１５Ａは筒状部材１１０の外側に突出し、端部１１５Ｂは筒状部材１１０の内側に突出する。この状態において、爪部１１５は、端部１１５Ｂにおいて防護管６００の鍔部６１０と係合して、防護管６００のＹ軸の負方向への移動を規制する。なお、防護管６００のＹ軸の正方向への移動は、後述するように、くさび部材１２０によって規制される。
【００２０】
そして、爪部１１５の端部１１５Ａを筒状部材１１０に向かって押圧すると、爪部１１５が回動し、端部１１５Ｂは、筒状部材１１０に設けられた窪みに収容される。その結果、爪部１１５と防護管６００の鍔部６１０との係合が解除されて、防護管６００のＹ軸の負方向への移動が可能となる。なお、爪部１１５が防護管６００の鍔部６１０との係合を解除する機構は、上述した機構に限られない。
【００２１】
＜くさび部材＞  
くさび部材１２０は、筒状部材１１０の内側に挿入される部材であって、図１に示されるように、円錐形状を呈している。くさび部材１２０は、例えば樹脂部材である。
【００２２】
くさび部材１２０は、筒状部材１１０の内側に挿入された状態において縮径部１１１の内周面１１１ａに沿って対向する外周面１２１を有する。本実施形態において、くさび部材１２０の外周面１２１は、図２に示されるように、くさび部材１２０が筒状部材１１０の内部に挿入された状態において、全面にわたって縮径部１１１の内周面１１１ａに対向しているが、部分的に縮径部１１１の内周面１１１ａに対向してもよい。また、くさび部材１２０の底面側の径は第１径Ｄ１と同じかやや小さく、また、くさび部材１２０の頂部側の径は第２径Ｄ２と同じかやや小さい。
【００２３】
また、くさび部材１２０は、電線５００を挿通するべく、底面の中央から頂部に向けて、つまり、電線５００の軸方向（Ｙ軸方向）に沿って、孔１２２を有する。孔１２２の内径は、図２に示されるように、電線５００の外径より大きく、くさび部材１２０の頂部の径より小さい。
【００２４】
くさび部材１２０はまた、孔１２２に電線５００を装着するべく、長手方向（Ｙ軸方向）に沿ってスリット１２３を有する。作業者は、スリット１２３によって形成されている隙間を広げ、このように広げられた隙間からくさび部材１２０の孔１２２に電線５００を挿入する。
【００２５】
したがって、図２に示されるように、くさび部材１２０は、筒状部材１１０の縮径部１１１まで押し込まれると、縮径部１１１の内周面１１１ａに圧迫されて弾性変形する。その結果、くさび部材１２０の孔１２２が電線５００に押し当てられて、電線５００の軸方向への移動が規制される。
【００２６】
＜＜保持具の使用＞＞  
保持具１００は、例えば、次のような手順で電線５００に装着される。  
まず、防護管６００を電線５００に装着する。併せて、筒状部材１１０のスリット１１４によって形成されている隙間を広げ、その隙間から筒状部材１００の内側へ電線５００を挿入する。このとき、筒状部材１１０は、図１に示されるように、第１延長部１１２側の開口が防護管６００の先端部に向くように電線５００に装着される。また、くさび部材１２０のスリット１２３によって形成されている隙間を広げ、その隙間から孔１２２の内側へ電線５００を挿入する。このとき、くさび部材１２０は、図１に示されるように、底面が防護管６００の先端部に対向するように（あるいは、頂部が筒状部材１１０の第１延長部１１２側の開口に向くように）、防護管６００と筒状部材１１０との間に装着される。
【００２７】
次いで、筒状部材１１０を電線５００上の所望の位置（防護管６００を固定する位置）に移動させる。そして、くさび部材１２０を、筒状部材１１０の第１延長部１１２側の開口から挿入し、縮径部１１１の内周面１１１ａに押し当てる。そうすると、くさび部材１２０の外周面１２１が縮径部１１１の内周面１１１ａに沿って対向し、くさび部材１２０は、外周面１２１を介して、縮径部１１１の内周面１１１ａから、電線５００に向かう力を受ける。かかる力によってくさび部材１２０は弾性変形し、孔１２２の内周面が電線５００に押し当てられる。かかる作業によって、図２に示されるように、保持具１００は電線５００に確実に固定される。
【００２８】
更に、防護管６００の先端部を、第１延長部１１２側の開口から筒状部材１１０の内側に挿入する。そして、図２に示されるように、防護管６００の鍔部６１０と筒状部材１１０の爪部１１５とが係合するまで、防護管６００の先端部を筒状部材１１０の内部に押し込む。かかる作業によって、防護管６００の移動（あるいは電線５００の移動）が確実に規制される。
【００２９】
また、取り付けられている保持具１００を電線５００から取り外すには、例えば次のように作業する。  
まず、防護管６００の鍔部６１０と筒状部材１１０の爪部１１５との係合を解除する。例えば、図３Ａ、図３Ｂに示される解除機構が筒状部材１１０に備えられている場合には、この解除機構を用いて鍔部６１０と爪部１１５との係合を解除する。そして、防護管６００を保持具１００から外す。
【００３０】
次いで、筒状部材１１０をＹ軸の正方向に移動させて、くさび部材１２０を筒状部材１１０の内側から抜き取る。そして、筒状部材１１０のスリット１１４によって形成されている隙間を広げ、その隙間から電線５００を外す。同様に、くさび部材１２０のスリット１２３によって形成されている隙間を広げ、その隙間から電線５００を外す。
【００３１】
このように、本実施形態では、くさび部材１２０が筒状部材１１０に挿入された状態において、くさび部材１２０の外周面１２１が縮径部１１１の内周面１１１ａに沿って対向する。くさび部材１２０は、縮径部１１１の内周面１１１ａから、電線５００に向かう力を受けて弾性変形する。その結果、くさび部材１２０の孔１２２の内周面が電線５００に押し当てられ、電線５００と保持具１００（筒状部材１１０及びくさび部材１２０）との相対的な移動が規制される。したがって、保持具１００は電線５００に固定され、防護管６００は電線５００上の所定位置に確実に保持される。
【００３２】
以上説明したように、保持具１００は、内周面１１１ａの径が第１径Ｄ１から第２径Ｄ２に縮径する縮径部１１１を有する筒状部材１１０と、筒状部材１１０の内側に挿入された状態において縮径部１１１の内周面１１１ａに沿って対向する外周面１２１を有するとともに、電線５００を挿通するべく電線５００の軸方向に沿って孔１２２を有するくさび部材１２０と、を備える。かかる実施形態によれば、くさび部材１２０が筒状部材１１０に挿入された状態において、くさび部材１２０の外周面１２１が縮径部１１１の内周面１１１ａに沿って対向する。くさび部材１２０は、縮径部１１１の内周面１１１ａから、電線５００に向かう力を受けて弾性変形する。その結果、くさび部材１２０の孔１２２の内周面が電線５００に押し当てられ、電線５００と保持具１００（筒状部材１１０及びくさび部材１２０）との相対的な移動が規制される。したがって、保持具１００は電線５００に固定され、防護管６００等の保持対象物は電線５００上の所定位置に確実に保持される。
【００３３】
また、筒状部材１１０が、内側に電線５００を装着するべく長手方向に沿ってスリット１１４を有することで、筒状部材１１０を電線５００に容易に装着することができる。
【００３４】
また、くさび部材１２０が、孔１２２に電線５００を装着するべく長手方向に沿ってスリット１２３を有することで、くさび部材１２０を電線５００に容易に装着することができる。
【００３５】
また、くさび部材１２０が、外周面１２１を側面とする円錐形状を呈していることで、くさび部材１２０を縮径部１１１に挿入しやすくなる。
【００３６】
また、筒状部材１１０は、内側に防護管６００の先端部が挿入された状態において、防護管６００の先端部に形成された鍔部６１０と係合する爪部１１５を更に有することが好ましい。爪部１１５が防護管６００の鍔部６１０と係合することで、防護管６００は、電線５００上の所定位置に確実に保持される。
【００３７】
また、爪部１１５が、防護管６００の鍔部６１０との係合を解除する機構をすることで、防護管６００を保持具１００から容易に取り外すことができる。
【００３８】
また、筒状部材１１０が、縮径部１１１から電線５００の軸方向に沿って延在する延長部１１２（１１３）を更に有することで、保持具１００に挿入された防護管６００又は電線５００を安定的に保持具１００に保持することが可能となる。
【００３９】
なお、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００４０】
１００  保持具
１１０  筒状部材
１１１  縮径部
１１２  第１延長部
１１３  第２延長部
１１４  スリット
１１５  爪部
１２０  くさび部材
１２１  外周面
１２２  孔
１２３  スリット
５００  電線
６００  防護管
６１０  鍔部
【図１】
0006497140.tif 000002
【図２】
0006497140.tif 000003
【図３Ａ】
0006497140.tif 000004
【図３Ｂ】
0006497140.tif 000005